(57)【要約】【課題】釣場におけるあらゆる環境下においても優れた滑止効果を発揮すると共に継続して使用された場合であっても滑止効果が維持される釣用靴及びこれに使用される靴底材を提供すること。【解決手段】釣用靴１０は、靴底材１３を備える。靴底材１３は、フェルト部材３４と、ゴムピン３５と、ゴムピン３５よりも外径寸法が小さいゴムピン８５と、取付板部３３とを有する。フェルト部材３４は、靴本体の外底部に対応する形状に形成され、当該外底部に着脱自在に取り付けられる。靴底材１３に波形の５本の切込４４〜４８が横方向に延設されている。フェルト部材３４は、切込４４，４５によって後方部５６と中間部５７と前方部５８に分けられている。外径寸法の大きいゴムピン３５は、後方部５６の周縁部位６３と、前方部５８の中央部位６４、内側部位６５及び外側部位６６に設けられている。他の部位にはゴムピン８５が設けられている。【選択図】図３
2009172277.tif 000002
【特許請求の範囲】
【請求項１】
釣人の足が挿入され得る靴本体と、
当該靴本体の外底面に設けられた靴底材とを有し、
当該靴底材は、
上記外底面に取り付けられ、釣人の足の中足部から指先側部分に対応する前方部、釣人の足の足根部のうち踵部分に対応する後方部及び両者を連続するように両者間に配置された中間部を備えた靴底本体と、
表面を備え、当該表面が靴底に露出するように上記靴底本体に設けられた複数のゴムピンとを有し、
上記靴底本体は、フェルトからなり、
上記ゴムピンは、デュロメータＡ型硬度２０〜４０のブチルゴムからなり、
上記前方部の中央部位、上記前方部のうち釣人の第１中足骨の先端に対応する内側部位、上記前方部のうち釣人の第５中足骨の先端に対応する外側部位及び上記後方部の周縁部位に配置されたゴムピンの表面の面積は、その他の部位に配置されたゴムピンの表面の面積の１．５倍〜４．０倍に設定されている釣用靴。
【請求項２】
上記前方部の先端近傍に配置されているゴムピンは、外径が５ｍｍ〜１０ｍｍである円柱状に形成されている請求項１に記載の釣用靴。
【請求項３】
上記前方部の面積のうち上記ゴムピンの表面の面積が占める割合は、５％〜１５％である請求項１又は２に記載の釣用靴。
【請求項４】
上記後方部の面積のうち上記ゴムピンの表面の面積が占める割合は、５％〜１５％である請求項１から３のいずれかに記載の釣用靴。
【請求項５】
上記中間部の面積のうち上記ゴムピンの表面の面積が占める割合は、１％〜５％である請求項１から４のいずれかに記載の釣用靴。
【請求項６】
上記靴底本体は、上記靴底に開口するゴムピン収容室を有し、
上記ゴムピンは、上記ゴムピン収容室に圧入されている請求項１から５のいずれかに記載の釣用靴。
【請求項７】
上記ゴムピンの表面及び当該表面に連続する面は、上記靴底本体に対して相対的に変位可能である請求項１から６のいずれかに記載の釣用靴。
【請求項８】
上記靴底材は、上記靴本体の外底面と対向する上記靴底本体の上面を覆う取付部材をさらに備えており、
当該取付部材は、上記靴本体の外底面に着脱自在に設けられている請求項１から７のいずれかに記載の釣用靴。
【請求項９】
上記ゴムピン収容室は、上記靴底本体に設けられた貫通孔からなり、
上記ゴムピンの上記取付部材と対向する面のみが、当該取付部材に固着されている請求項８に記載の釣用靴。
【請求項１０】
上記ゴムピンの上記取付部材と対向する面にフランジが設けられている請求項９に記載の釣用靴。
【請求項１１】
上記ゴムピンの表面は、上記靴底から１ｍｍ〜３ｍｍの範囲で突出している請求項１から１０のいずれかに記載の釣用靴。
【請求項１２】
上記ゴムピンの表面に所定深さの細溝が設けられている請求項１から１１のいずれかに記載の釣用靴。
【請求項１３】
上記細溝は、上記ゴムピンの表面に十字形に形成されている請求項１２に記載の釣用靴。
【請求項１４】
靴本体の外底面に設けられる靴底材であって、
釣人の足の中足部から指先側部分に対応する前方部、釣人の足の足根部のうち踵部分に対応する後方部及び両者を連続するように両者間に配置された中間部を備えた靴底本体と、
表面を備え、当該表面が靴底に露出するように上記靴底本体に設けられた複数のゴムピンとを有し、
上記靴底本体は、フェルトからなり、
上記ゴムピンは、デュロメータＡ型硬度２０〜４０のブチルゴムからなり、
上記前方部の中央部位、上記前方部のうち釣人の第１中足骨の先端に対応する内側部位、上記前方部のうち釣人の第５中足骨の先端に対応する外側部位及び上記後方部の周縁部位に配置されたゴムピンの表面の面積は、その他の部位に配置されたゴムピンの表面の面積の１．５倍〜４．０倍に設定されている靴底材。
【請求項１５】
上記前方部の先端近傍に配置されているゴムピンは、外径が５ｍｍ〜１０ｍｍである円柱状に形成されている請求項１４に記載の靴底材。
【請求項１６】
上記前方部の面積のうち上記ゴムピンの表面の面積が占める割合は、５％〜１５％である請求項１４又は１５に記載の靴底材。
【請求項１７】
上記後方部の面積のうち上記ゴムピンの表面の面積が占める割合は、５％〜１５％である請求項１４から１６のいずれかに記載の靴底材。
【請求項１８】
上記中間部の面積のうち上記ゴムピンの表面の面積が占める割合は、１％〜５％である請求項１４から１７のいずれかに記載の靴底材。
【請求項１９】
上記靴底本体は、当該靴底本体の下面に開口するゴムピン収容室を有し、
上記ゴムピンは、上記ゴムピン収容室に圧入されている請求項１４から１８のいずれかに記載の靴底材。
【請求項２０】
上記ゴムピンの表面及び当該表面に連続する面は、上記靴底本体に対して相対的に変位可能である請求項１４から１９のいずれかに記載の靴底材。
【請求項２１】
上記靴本体の外底面と対向する上記靴底本体の上面を覆い且つ上記靴本体の外底面に着脱自在に係合する取付部材がさらに備えられている請求項１４から２０のいずれかに記載の靴底材。
【請求項２２】
上記ゴムピン収容室は、上記靴底本体に設けられた貫通孔からなり、
上記ゴムピンの上記取付部材と対向する面のみが、当該取付部材に固着されている請求項２１に記載の靴底材。
【請求項２３】
上記ゴムピンの上記取付部材と対向する面にフランジが設けられている請求項２２に記載の靴底材。
【請求項２４】
上記ゴムピンの表面は、上記靴底本体の下面から１ｍｍ〜３ｍｍの範囲で突出している請求項１４から２３のいずれかに記載の靴底材。
【請求項２５】
上記ゴムピンの表面に所定深さの細溝が設けられている請求項１４から２４のいずれかに記載の靴底材。
【請求項２６】
上記細溝は、上記ゴムピンの表面に十字形に形成されている請求項２５に記載の靴底材。
【発明の詳細な説明】
【技術分野】
【０００１】
本発明は、釣用靴、特に釣用靴の靴底に使用される靴底材の構造に関するものである。
【背景技術】
【０００２】
例えば磯釣りや川釣りにおいては、釣人は石や岩（磯）の上を歩行する。このような釣場の石や岩は、一般に濡れていることが多く、またコケやノリ等が付着していることも多い。そのため、釣人が着用する釣用靴の靴底は、歩行の際に滑らないように従来からさまざまな改良が加えられている（例えば、特許文献１〜特許文献８参照）。
【０００３】
具体的には、従来の釣用靴には、（ア）靴底材がフェルトから構成されているもの、（イ）靴底にスパイクピンが設けられているもの、（ウ）靴底にゴムピンが設けられているもの、（エ）靴底に吸盤が設けられているもの、（オ）フェルトからなる靴底にスパイクピン又はゴムピンが設けられているもの等がある。これらの改良が施された釣用靴は、それぞれ一定の条件下（釣場の環境下）においては一定の滑止効果を発揮する。すなわち、例えば磯が平坦な岩からなり、あまり濡れていない場合には、靴底材がフェルトから構成されているものが好ましいし、磯に柔らかいコケやノリが生え、常時濡れているような場合には、靴底にスパイクピンが設けられているものが好ましい。
【０００４】
【特許文献１】特開２００６−２９６６２４号公報
【特許文献２】特開２００６−２８９０６３号公報
【特許文献３】特開２００２−２８２００９号公報
【特許文献４】特開２００１−１９７９０３号公報
【特許文献５】特開平１０−４２９０５号公報
【特許文献６】実開平４−４８０３号公報
【特許文献７】実開平１−１２６１０１号公報
【特許文献８】実開昭６３−１９１９０５号公報
【発明の開示】
【発明が解決しようとする課題】
【０００５】
釣人の多くの経験から、靴底がフェルトからなり且つ靴底にゴムピンが設けられている釣用靴は、あらゆる状況において総合的に高い滑止効果を発揮するとされている（特許文献２参照）。
【０００６】
しかしながら、フェルトとゴムとの物性（特に耐摩耗性）が異なることから、釣用靴が継続して使用された場合に、靴底のフェルト部分の摩耗量とゴムピンの摩耗量とが一致せず、ゴムピンが靴底から突出する傾向にある。ゴムピンが靴底から突出した場合には、ゴムピンと釣場（磯等）とが強く接触し、フェルト部分が磯と接触し難くなる。そのため、フェルトが発揮する滑止効果、例えば釣人が平坦な岩の上を歩行する際の滑止効果が低下するという問題がある。
【０００７】
そこで、本発明の目的は、釣場におけるあらゆる環境下においても優れた滑止効果を発揮すると共に継続して使用された場合であっても滑止効果が維持される釣用靴及びこれに使用される靴底材を提供することである。
【課題を解決するための手段】
【０００８】
(1)  上記目的が達成されるため、本発明に係る釣用靴は、釣人の足が挿入され得る靴本体と、当該靴本体の外底面に設けられた靴底材とを有する。この靴底材は、上記外底面に取り付けられたフェルトからなる靴底本体と、表面を備え、当該表面が靴底に露出するように上記靴底本体に設けられた複数のゴムピンとを有する。靴底本体は、釣人の足の中足部から指先側部分に対応する前方部、釣人の足の足根部のうち踵部分に対応する後方部及び両者を連続するように両者間に配置された中間部を備える。ゴムピンは、デュロメータＡ型硬度２０〜４０のブチルゴムからなる。上記前方部の中央部位、上記前方部のうち釣人の第１中足骨の先端に対応する内側部位、上記前方部のうち釣人の第５中足骨の先端に対応する外側部位及び上記後方部の周縁部位に配置されたゴムピンの表面の面積は、その他の部位に配置されたゴムピンの表面の面積の１．５倍〜４．０倍に設定されている。
【０００９】
釣人は、足を靴本体に挿入して、釣用靴を着用する。釣人が釣用靴を着用して歩行すると、靴底本体が釣場の石や岩に圧接する。このとき、ゴムピンが靴底に露出しているから、フェルトからなる靴底本体及びゴムピンの表面が石や岩に圧接される。しかも、このゴムピンが上記硬度のブチルゴムからなるので、このゴムピンは容易に変形して釣場の岩等に対して確実にグリップする。
【００１０】
釣人が釣用靴を着用して歩行する際に、釣人の体重が最も大きく作用する部位は、前方部の中央部位、内側部位、外側部位、及び後方部の周縁部位である。したがって、これらの部位は、フェルトからなる靴底本体の摩耗が激しい。本発明の釣用靴では、これらの部位に配置されたゴムピンの表面面積が他の部位に配置されたゴムピンの表面面積よりも大きい。したがって、中央部位、内側部位、外側部位、及び後方部の周縁部位の各部位では、靴底本体の接地面積が他の部位に比べて相対的に小さくなっている。そのため、釣人の体重が最も大きく作用する部位における靴底本体の急激な摩耗が防止される。その結果、釣人の体重が最も大きく作用する部位とそれ以外の部位との間で、靴底本体の摩耗が均一になる。つまり、靴底本体全体が均一に摩耗する。また、ゴムピンの摩耗量とと靴底本体の摩耗量が略一致するため、継続して釣用靴が使用された場合でも、靴底本体とゴムピンの双方の滑止効果を維持することが可能となる。
【００１１】
上記前方部の先端近傍に配置されているゴムピンは、外径が５ｍｍ〜１０ｍｍである円柱状に形成されていることが好ましい。
【００１２】
上記前方部の面積のうち上記ゴムピンの表面の面積が占める割合は、５％〜１５％であることが好ましい。
【００１３】
また、上記後方部の面積のうち上記ゴムピンの表面の面積が占める割合は、５％〜１５％であることが好ましい。
【００１４】
また、上記中間部の面積のうち上記ゴムピンの表面の面積が占める割合は、１％〜５％であることが好ましい。
【００１５】
上記靴底本体は、上記靴底に開口するゴムピン収容室を有し、上記ゴムピンは、上記ゴムピン収容室に圧入されていることが好ましい。この構成では、ゴムピンのみが別部材として構成され、簡単に靴底本体に組み付けられる。その結果、釣用靴の構造が簡単となり、製造コストの大幅な上昇が回避される。
【００１６】
上記ゴムピンの表面及び当該表面に連続する面は、上記靴底本体に対して相対的に変位可能となっていることが好ましい。釣人が歩行すると、靴底本体が変形する。したがって、仮にゴムピンの上記各面が靴底本体に対して相対的に変位できなければ、釣人の歩行時にゴムピンの変形が規制されてしまい、その結果、釣場の岩等に対する十分なグリップ力が得られなくなる。しかし、この構成では、ゴムピンの変形が許容されるので、歩行時において高い滑止効果が発揮される。
【００１７】
上記靴底材は、上記靴本体の外底面と対向する上記靴底本体の上面を覆う取付部材がさらに備えられており、当該取付部材は、上記靴本体の外底面に着脱自在に設けられているのが好ましい。この場合、靴底材は靴本体に着脱自在となっているから、仮に当該靴底材が摩耗した場合には、これのみが交換され得るという利点がある。また、上記ゴムピン収容室は、上記靴底本体に設けられた貫通孔から構成され得る。そして、上記ゴムピンの上記取付部材と対向する面のみが、当該取付部材に固着されているのが好ましい。この場合、ゴムピンは、上記貫通孔に挿入され、例えば接着剤等によって上記取付部材に固着される。このため、ゴムピンを靴底本体に組み付ける作業がきわめて簡単になるという利点がある。特に、上記ゴムピンの上記取付部材と対向する面にフランジが設けられているのが好ましい。このフランジが設けられることにより、上記ゴムピンを靴底本体に組み付ける作業が一層簡単になる。具体的には、上記ゴムピンは、靴底本体の靴本体側から上記貫通孔に挿通され、上記フランジが靴底本体に当接されることにより、当該靴底本体に位置決め状態で保持される。そして、この状態で当該フランジを挟み込むように当該靴底本体の上面に上記取付部材が設けられる。
【００１８】
上記ゴムピンの表面は、上記靴底から１ｍｍ〜３ｍｍの範囲で突出しているのが好ましい。この構成では、靴底本体が釣場の石や岩に圧接されると、ゴムピンが変形して当該石等を把持するように確実に係合する。したがって、より高い滑止効果が発揮される。
【００１９】
上記ゴムピンの表面に所定深さの細溝が設けられているのが好ましい。これにより、上記石や岩が濡れている場合であっても、当該石等とゴムピンとの間に存在する水は、上記細溝から排水される。これにより、より一層高い滑止効果が発揮される。この細溝は、上記ゴムピンの表面に十字形に形成されているのが好ましい。これにより、より高い排水効果が発揮されるという利点がある。
【００２０】
(2) 上記目的が達成されるため、本発明に係る靴底材は、靴本体の外底面に設けられる靴底材であって、フェルトからなる靴底本体と、表面を備え、当該表面が靴底に露出するように上記靴底本体に設けられた複数のゴムピンとを有する。靴底本体は、釣人の足の中足部から指先側部分に対応する前方部、釣人の足の足根部のうち踵部分に対応する後方部及び両者を連続するように両者間に配置された中間部を備える。ゴムピンは、デュロメータＡ型硬度２０〜４０のブチルゴムからなる。上記前方部の中央部位、上記前方部のうち釣人の第１中足骨の先端に対応する内側部位、上記前方部のうち釣人の第５中足骨の先端に対応する外側部位及び上記後方部の周縁部位に配置されたゴムピンの表面の面積は、その他の部位に配置されたゴムピンの表面の面積の１．５倍〜４．０倍に設定されている。
【００２１】
この構成によれば、靴底本体が釣場の石や岩に接触すると、ゴムピンが靴底に露出しているから、フェルトからなる靴底本体及びゴムピンの表面が石や岩に接触する。しかも、このゴムピンが上記硬度のブチルゴムからなるので、このゴムピンは容易に変形して釣場の岩等に対して確実にグリップする。
【００２２】
釣人が釣用靴を着用して歩行する際に、最も大きな荷重がかかる部位は、前方部の中央部位と内側部位と外側部位、及び、後方部の周縁部位である。したがって、これらの部位は、フェルトからなる靴底本体の摩耗が激しい。本発明は、これらの部位に配置されたゴムピンの表面面積が他の部位に配置されたゴムピンの表面面積よりも大きい。したがって、上記各部位では、靴底本体の接地面積が他の部位に比べて相対的に小さくなる。そのため、最も大きな荷重がかかる部位における靴底本体の急激な摩耗が防止される。その結果、大きな荷重がかかる部位とそれ以外の部位との間で、靴底本体の摩耗が均一になる。つまり、靴底本体全体が均一に摩耗する。
【００２３】
上記前方部の先端近傍に配置されているゴムピンは、外径が５ｍｍ〜１０ｍｍである円柱状に形成されていることが好ましい。
【００２４】
上記前方部の面積のうち上記ゴムピンの表面の面積が占める割合は、５％〜１５％であることが好ましい。
【００２５】
また、上記後方部の面積のうち上記ゴムピンの表面の面積が占める割合は、５％〜１５％であることが好ましい。
【００２６】
また、上記中間部の面積のうち上記ゴムピンの表面の面積が占める割合は、１％〜５％であることが好ましい。
【００２７】
上記靴底本体は、当該靴底本体の下面に開口するゴムピン収容室を有し、上記ゴムピンは、上記ゴムピン収容室に圧入されていることが好ましい。この構成では、ゴムピンのみが別部材として構成され、簡単に靴底本体に組み付けられる。その結果、靴底材の構造が簡単となり、製造コストの上昇が抑えられる。
【００２８】
上記ゴムピンの表面及び当該表面に連続する面は、上記靴底本体に対して相対的に変位可能となっているのが好ましい。当該靴底材は、実際の使用時には、釣人が歩行することに起因して、強制的に且つ周期的に変形が繰り返される。したがって、仮にゴムピンの上記各面が靴底本体に対して相対的に変位することができなければ、当該靴底材の変形時においてゴムピンの変形が規制されてしまい、その結果、釣場の岩等に対する十分なグリップ力が得られなくなる。しかし、この構造では、十分にゴムピンの変形が許容されることになるので、高い滑止効果が発揮される。
【００２９】
上記靴本体の外底面と対向する上記靴底本体の上面を覆い且つ上記靴本体の外底面に着脱自在に係合する取付部材がさらに備えられていることが好ましい。この場合、当該靴底材は靴本体に着脱可能であるから、仮に当該靴底材が摩耗した場合には、これのみが交換され得るという利点がある。また、上記ゴムピン収容室は、上記靴底本体に設けられた貫通孔から構成され得る。そして、上記ゴムピンの上記取付部材と対向する面のみが、当該取付部材に固着されているのが好ましい。この場合、ゴムピンは、上記貫通孔に挿入され、例えば接着剤等によって上記取付部材に固着される。このため、ゴムピンを靴底本体に組み付ける作業がきわめて簡単になるという利点がある。特に、上記ゴムピンの上記取付部材と対向する面にフランジが設けられているのが好ましい。このフランジが設けられることにより、上記ゴムピンを靴底本体に組み付ける作業が一層簡単になる。具体的には、上記ゴムピンは、上記貫通孔に挿通され、上記フランジが靴底本体に当接されることにより、当該靴底本体に位置決め状態で保持される。そして、この状態で当該フランジを挟み込むように当該靴底本体の上面に上記取付部材が設けられる。
【００３０】
上記ゴムピンの表面は、上記靴底から１ｍｍ〜３ｍｍの範囲で突出しているのが好ましい。この構成では、靴底本体が釣場の石や岩に圧接されると、ゴムピンが変形して当該石等を把持するように確実に係合する。したがって、より高い滑止効果が発揮される。しかも、ゴムピンが上記のように突出していることにより、靴底本体の摩耗速度とゴムピンの摩耗速度とがほぼ一致する。したがって、高い滑止効果が持続するという利点がある。
【００３１】
上記ゴムピンの表面に所定深さの細溝が設けられているのが好ましい。これにより、上記石や岩が濡れている場合であっても、当該石等とゴムピンとの間に存在する水は、上記細溝から排水される。これにより、より一層高い滑止効果が発揮される。この細溝は、上記ゴムピンの表面に十字形に形成されているのが好ましい。これにより、より高い排水効果が発揮されるという利点がある。
【発明の効果】
【００３２】
本発明によれば、フェルトからなる靴底本体及びゴムピンが釣場の岩等に確実にグリップするので、これらが協働することにより、釣場の状況にかかわらず高い滑止効果が発揮される。また、大きな荷重がかかる部位に配置されたゴムピンの表面面積を他の部位に配置されたゴムピンよりも大きくしているので、当該部位における靴底本体の急激な摩耗が防止される。これにより、靴底本体の摩耗が均一となり、継続して釣用靴が使用された場合であっても滑止効果が維持される。
【発明を実施するための最良の形態】
【００３３】
以下、適宜図面が参照されつつ、好ましい実施形態に基づいて本発明が詳細に説明される。
【００３４】
〈第１の実施形態〉
図１は、本発明の第１の実施形態に係る釣用靴の斜視図であり、図２は、この釣用靴の要部拡大断面図である。
【００３５】
この釣用靴１０は、例えば磯釣りや川釣り等において釣人が釣り場を安全に歩行等するために着用するものである。本実施形態に係る釣用靴１０の特徴とするところは、釣用靴１０のソール部分の構造である。すなわち、釣用靴１０が後述の靴底材１３を備えることによって、釣り場の歩行における高い滑止効果が発揮されるようになっている。なお、釣人は、左右対称に形成された一対の釣用靴１０を着用するが、説明の簡略化のために、以下では、右脚用の釣用靴１０の構造のついて説明される。
【００３６】
釣用靴１０は、靴本体１１と、靴本体１１の外底面３１に設けられた靴底材１３とを備えている。靴本体１１は、下部にミッドソール部１２を備えており、このミッドソール部１２に靴底材１３が取り付けられている。
【００３７】
靴本体１１は、内布１４と、本体ゴム１５と、補強ゴム１６〜２０と、中敷２１とを有する。
【００３８】
内布１４は、例えばナイロンその他ポリエステル等からなり、靴本体１１の内壁面を構成している。内布１４がナイロンその他ポリエステルにより構成されることによって、釣人にとって、釣用靴１０を履いたときの履き心地が良い。中敷２１は、内布１４の内底部に配置されている。内布１４の内底部は、釣人が釣用靴１０を履いたときに足の裏部分が載置される載置部２３を構成している。中敷２１は、例えば、発泡エチレン酢酸ビニル共重合体（発泡ＥＶＡ）、発泡ポリウレタン（発泡ＰＵ）、発泡ポリエチレン（発泡ＰＥ）、スポンジ等により構成されている。このため、釣人が釣用靴１０を履いたときに、当該釣用靴１０が足にフィットし、釣人にとって一層履き心地の良いものとなる。ただし、中敷２１は、省略されていてもよい。
【００３９】
本体ゴム１５は、内布１４の底部を除く外周面を囲繞するように配置されている。本体ゴム１５は、靴本体１１の骨格を形成している。本体ゴム１５としては、例えば、天然ゴム（ＮＲ）、ポリ塩化ビニル（ＰＶＣ）その他合成ゴム等が採用される。補強ゴム１６は、靴本体１１の先端部（爪先側）を被うように配置されており、当該部分を補強している。補強ゴム１６としては、例えば、天然ゴム（ＮＲ）、ポリ塩化ビニル（ＰＶＣ）その他合成ゴム等が採用される。補強ゴム１７は、靴本体１１の後端部（踵側）を被うように配置されており、当該部分を補強している。この補強ゴム１７は、特に肉厚部２２を備えている。この肉厚部２２は、釣人が釣用靴１０を履いたときに釣人の踵の後方に該当する部分に設けられており、釣人の踵部分の安全が確保されている。補強ゴム１７としては、例えば、天然ゴム（ＮＲ）、ポリ塩化ビニル（ＰＶＣ）その他合成ゴム等が採用される。
【００４０】
補強ゴム１８は、靴本体１１の底部の近傍に配置され、靴本体１１の周方向に沿って配置されている。つまり、この補強ゴム１８は、靴本体１１の下縁部を囲繞するように配置されており、靴本体１１の先端部及び後端部をさらに補強している。この補強ゴム１８としては、例えば、天然ゴム（ＮＲ）、ポリ塩化ビニル（ＰＶＣ）その他合成ゴム等が採用される。補強ゴム１９は、上記補強ゴム１８の外側に配置されている。補強ゴム１９は、靴本体１１の底部の近傍に設けられており、靴本体１１の周方向に沿って配置されている。これにより、補強ゴム１９は、靴本体１１の先端部及び下端部をより一層補強しており、釣用靴１０の耐久性及び安全性が向上されている。この補強ゴム１９としては、例えば、天然ゴム（ＮＲ）、ポリ塩化ビニル（ＰＶＣ）その他合成ゴム等が採用される。補強ゴム２０は、靴本体１１の上部開口部３６（釣人の脚が挿入される部分）の周縁部に配置されている。この補強ゴム２０は、当該周縁部を補強している。この補強ゴム２０としては、例えば、天然ゴム（ＮＲ）、ポリ塩化ビニル（ＰＶＣ）その他合成ゴム等が採用される。
【００４１】
ミッドソール部１２は、上記内布１４の外側の底面２４に配置されている。ただし、靴本体１１の底面周縁部に補強シート２５が配設されている。このため、ミッドソール部１２は、この補強シート２５を挟んで上記底面２４に固着されている。ミッドソール部１２は、基部２６と、シート部材２７と、クッション部材２８とを有する。基部２６は、例えば合成ゴム等により構成されており、その外形形状は、上記底面２４の形状に対応している。シート部材２７は、基部２６の上面に配置され、このシート部材２７の上面にクッション部材２８が配置されている。言い換えると、基部２６、シート部材２７及びクッション部材２８は、順に積層されており、これらが一体となって上記内布１４の外側の底面２４に取り付けられている。この基部２６の底面が靴本体１１の外底面３１を構成している。この外底面３１は、後に詳述される靴底材１３が装着されるための凹部３２を備えている。
【００４２】
シート部材２７は、板材からなる。シート部材２７を構成する材料は、例えば、樹脂が含浸された紙材のほか、ラバー、フェルト、プラスチック、金属等が採用され得る。クッション部材２８は、発泡エチレン酢酸ビニル共重合体、発泡合成ゴム、発泡天然ゴム、発泡ウレタン、フェルト材等の発泡成形部材により構成されている。なお、本実施形態では、シート部材２７の上面にクッション部材２８が積層されているが、基部２６の上面にクッション部材２８が配置され、その上面にシート部材２７が配置されていてもよい。ただし、これらシート部材２７及びクッション部材２８は、省略されていてもよい。
【００４３】
図３は、靴底材１３の一部分解斜視図である。
【００４４】
靴底材１３は、靴本体１１の外底面３１（図２参照）に取り付けられている。この靴底材１３は、上記外底面３１に対して着脱可能に取り付けらる。図３が示すように、靴底材１３は、取付板部３３（取付部材）と、取付板部３３に設けられたフェルト部材３４（靴底本体）と、取付板部３３に立設された寸法違いの２種類のゴムピン３５，８５とを有する。
【００４５】
フェルト部材３４は、上記靴本体１１の外底面３１に対応する形状に形成されている。具体的には、フェルト部材３４の外形形状は、上記外底面３１に設けられた凹部３２にぴったりと嵌め合わされるように形成されている。フェルト部材３４の肉厚寸法は、１０．０ｍｍ〜２０．０ｍｍに設定されている。フェルト部材３４は、繊維が立体的に且つ方向の規則性なく集合されることによって構成されている。繊維の種類は、例えばナイロンその他ポリエステル等の合成繊維のほか、やしがら繊維や麻等の天然繊維が採用され得る。また、取付板部３３は、薄肉平板状の部材であって、フェルト部材３４の上面３９（図３では、フェルト部材３４の下側の面）を覆っている。取付板部３３は、例えば、ナイロンその他ポリエステル等の合成繊維を含む不織布からなる。
【００４６】
本実施形態では、この取付板部３３と上記凹部３２の壁面との間に面ファスナー機構が構成されている。すなわち、取付板部３３の表面（図３では、下側の面）では、繊維がループ状に形成されており、上記凹部３２の内面では、繊維がフック状に形成されている。したがって、靴底材１３が上記凹部３２に嵌め込まれたときに、取付板部３３が上記凹部３２の壁面に一定の保持力で着脱自在に係合する。これにより、靴底材１３は、一定の保持力でミッドソール部１２に着脱自在に保持されることになる。もっとも、取付板部３３がループテープから構成され、上記凹部３２に、このループテープと係合するフックテープが設けられていてもよい。
【００４７】
図３が示すように、フェルト部材３４の下面４０に切込４４〜４８が設けられている。これら切込４４〜４８は、フェルト部材３４の横方向に延びている。各切込４４〜４８は、横方向に切り込まれることによって構成されており、スリット状に形成されていてもよい。本実施形態では、５本の切込４４〜４８が設けられており、フェルト部材３４の縦方向に並設されている。ただし、切込の数は特に限定されるものではなく、３本〜１５本の範囲で適宜設けられる。ここで、上記「縦方向」とは、釣人がこの釣用靴１０を履いた状態において当該釣人の足の長さ方向（爪先と踵とを結ぶ方向）であって、図３において、靴底材１３の長手方向である。また、上記「横方向」とは、上記縦方向に対して直交する方向であって、釣人の足の幅方向である。
【００４８】
各切込４４〜４８は、横方向に延びる波形に形成されている。また、各切込４４〜４８の深さ寸法ｄは、本実施形態では、１２ｍｍに設定されている。ただし、この深さ寸法ｄは、フェルト部材３４の肉厚寸法Ｄの６０％〜９５％の範囲で適宜設定され得る。この深さ寸法ｄは、好ましくは上記肉厚寸法Ｄの８０％〜９５％であり、より好ましくは、９０％〜９５％である。なお、図３では、切込４７についてのみ寸法線が記入されているが、他の切込４４〜４８についても同様である。各切込４４〜４８が波形に形成されていること、及び各切込４４〜４９の深さ寸法ｄが上記寸法に設定されていることによる作用効果については、後に詳述される。
【００４９】
フェルト部材３４は、切込４４及び切込４５が設けられることによって、後方部５６と中間部５７と前方部５８の３つの部位に分けられる。具体的には、フェルト部材３４の周縁と切込４４とによって後方部５６が区画される。切込４４と切込４５とによって中間部５７が区画される。また、切込４５とフェルト部材３４の周縁とによって前方部５８が区画される。
【００５０】
後方部５６は、フェルト部材３４の最も後方側に配置されている。この後方部５６は、釣人の足の骨格を形成する足根部のうち踵部分の骨（踵骨）に対応する位置に配置されている。言い換えれば、切込４４は、釣人の足の踵部分と窪み部分（足底弓蓋）との境界付近に設けられている。したがって、釣用靴１０が着用された状態で、後方部５６は釣人の踵付近を支持する。
【００５１】
前方部５８は、釣人の足の骨格を形成する中足部から足指に至る部分に対応する位置に配置されている。言い換えれば、切込４５は、中足部を構成する５つの中足骨と足根部との接続部分に沿って設けられている。
【００５２】
前方部５８は、更に４つの部位５９〜６２に分けられる。部位５９〜６２は、中間部５７から縦方向へ順次配列されている。部位５９は、切込４５と切込４６とによって区画されている。部位６０は、切込４６と切込４７とによって区画されている。部位６１は、切込４７と切込４８とによって区画されている。そして、最も前方側に位置する部位６２は、切込４８とフェルト部材３４の周縁とによって区画されている。部位５９〜６２は、縦方向に概ね同じ幅寸法に形成されている。言い換えれば、切込４５〜４８は、縦方向に均等幅に設けられている。
【００５３】
中間部５７は、前方部５８と後方部５６との間に配置されている。フェルト部材３４は、後方部５６から中間部５７、そして前方部５８に渡って連続している。
【００５４】
本実施形態では、ゴムピン３５は、外径寸法が約１４．０ｍｍの円柱状に形成されており、また、ゴムピン８５は、外径寸法が約９．０ｍｍの円柱状に形成されている。したがって、ゴムピン３５の表面３８（靴底に露出する面）の面積は、ゴムピン８５の表面８８の面積の約１．５倍となっている。これらのゴムピン３５，８５は、フェルト部材３４に埋め込まれている。なお、ゴムピン３５の外径は、１０．０ｍｍより大きく２０．０ｍｍより小さい範囲内であれば、適宜の寸法に設定可能である。また、ゴムピン８５の外径は、５．０ｍｍより大きく１０．０ｍｍより小さい範囲内であれば、適宜の寸法に設定可能である。ただし、上記外径寸法の範囲内で、ゴムピン３５の表面３８（靴底に露出する面）の面積が、ゴムピン８５の表面８８の面積の１．５倍から４．０倍となるように各ゴムピン３５，８５が設計されていることを要する。なお、全てのゴムピン３５の表面３８の面積がゴムピン８５の表面８８の面積に対して同じ面積比である必要はなく、１．５倍から４．０倍の範囲内において各ゴムピン３５ごとに個別に設定可能である。
【００５５】
ゴムピン３５，８５の硬度は、１０〜６０の範囲に設定され得る。この場合の硬度とは、ＪＩＳ  Ｋ  ６２６３に準拠したデュロメータＡ型硬度である。ただし、ゴムピン３５，８５の硬度は、１５〜４５に設定されるのが好ましく、さらに、２０〜４０に設定されるのがより好ましい。そして、ゴムピン３５，８５を構成するゴムは、イソブチレンに所定量のイソプレンを共重合した合成ゴム（いわゆるブチルゴム）が採用されている。本実施形態では、ゴムピン３５，８５は、ポリマーの主成分をブチルとする配合ゴムから構成されている。
【００５６】
本実施形態では、図３が示すように、フェルト部材３４には、８本のゴムピン３５と１０本のゴムピン８５が設けられている。ただし、ゴムピン３５，８５の数はこれに限定されるものではなく、ゴムピン３５及びゴムピン８５を合計して５本〜３０本の範囲で適宜設定され得る。
【００５７】
フェルト部材３４は、ゴムピン３５用のゴムピン収容室３７（以下「収容室３７」と略す。）とゴムピン８５用のゴムピン収容室８７（以下「収容室８７」と略す。）とを合わせて１８個の収容室を備えている。これら収容室３７，８７は、フェルト部材３４の下面４０（靴底）に開口を有する凹部からなる。言うまでもなく、収容室３７の数は、ゴムピン３５の個数に対応しており、収容室８７の数は、ゴムピン８５の個数に対応している。また、収容室３７は、ゴムピン３５の外形形状に対応しており、収容室８７は、ゴムピン８５の外形形状に対応している。本実施形態では、収容室３７，８７の内壁面形状が円柱状に形成されている。収容室３７の内径寸法は、ゴムピン３５の外径寸法に対応されており、これにより、ゴムピン３５は、収容室３７に圧入されている。また、収容室８７の内径寸法は、ゴムピン８５の外径寸法に対応されており、これにより、ゴムピン８５は、収容室８７に圧入されている。各ゴムピン３５，８５が収容室３７，８７に嵌め込まれた状態では、各ゴムピン３５の表面３８、及び各ゴムピン８５の表面８８は、フェルト部材３４の下面４０に露出し、当該下面４０と滑らかに連続している。
【００５８】
図３が示すように、後方部５６には、３つの収容室３７と、３つの収容室８７とが設けられている。収容室３７は、後方部５６の周縁部位６３に配置されている。詳細には、後方部５６において最も釣人の体重が加わる後端部分の周縁部位６３に沿って並べられるようにして３つの収容室３７が配置されている。これらの収容室３７にゴムピン３５が圧入されることによって、後方部５６に３つのゴムピン３５が設けられる。一方、収容室８７は後方部５６の中央付近に配置されている。これらの収容室８７にゴムピン８５が圧入されることによって、後方部５６の中央付近に３つのゴムピン８５が設けられる。本実施形態では、後方部５６の面積のうち、ゴムピン３５，８５の表面３８，８８の総面積が占める割合は、約１２％となるようにゴムピン３５，８５の数やその外径寸法が定められている。なお、必ずしも後方部５６における上記割合が約１２％に限定されることはなく、５％〜１５％の範囲内で上記割合を適宜設定することが可能である。
【００５９】
中間部５７には、２つの収容室８７が設けられている。これらの収容室８７は、横方向に離されて配置されており、詳細には、横方向端部付近に配置されている。これらの収容室８７にゴムピン８５が圧入されることによって、中間部５７に２つのゴムピン８５が設けられる。本実施形態では、中間部５７の面積のうち、ゴムピン８５の表面８８の総面積が占める割合は、約４％となるようにゴムピン８５の数やその外径寸法が定められている。なお、必ずしも中間部５７における上記割合が約４％に限定されることはなく、１％〜５％の範囲内で上記割合を適宜設定することが可能である。
【００６０】
前方部５８の部位５９には２つの収容室３７が設けられている。これらの収容室３７は、横方向に離された配置されており、詳細には、横方向端部付近に配置されている。これらの収容室３７にゴムピン３５が圧入されることによって、部位５９に２つのゴムピン３５が設けられる。
【００６１】
部位６０には、１つの収容室３７と、２つの収容室８７とが設けられている。これら収容室３７，８７は、横方向の略一列に配置されている。詳細には、横方向の両端付近に２つの収容室８７が配置されており、２つの収容室８７の中間付近に収容室３７が配置されている。収容室３７の位置は、前方部５８において概ね中央付近に一致している。つまり、収容室３７は、前方部５８の中央部位６４に配置されている。この収容室３７にゴムピン３５が圧入されることによって、部位６０の中央、言い換えれば前方部５８の中央部位にゴムピン３５が設けられる。また、これらの収容室８７にゴムピン８５が圧入されることによって、部位６０に２つのゴムピン８５が設けられる。
【００６２】
部位６１には、２つの収容室３７と、１つの収容室８７とが設けられている。これら収容室３７，８７は、横方向の略一列に配置されている。詳細には、横方向の両端付近に２つの収容室３７が配置されており、２つの収容室３７の中間付近に収容室８７が配置されている。２つの収容室３７のうち、一方の収容室３７の位置は、釣人の第１中足骨の先端に対応する内側部位６５に配置されており、他方の収容室３７は、釣人の第５中足骨の先端に対応する外側部位６６に配置されている。これら収容室３７にゴムピン３５が圧入されることによって、部位６０の内側部位６５及び外側部位６６にゴムピン３５が設けられる。また、収容室８７にゴムピン８５が圧入されることによって、部位６０に１つのゴムピン８５が設けられる。
【００６３】
部位６２には、２つの収容室８７が設けられている。これらの収容室８７は、横方向に離された配置されており、詳細には、横方向端部付近に配置されている。これらの収容室８７にゴムピン８５が圧入されることによって、部位６２に２つのゴムピン８５が設けられる。言い換えれば、前方部５８の先端近傍にゴムピン８５が設けられる。
【００６４】
なお、本実施形態では、前方部５８の面積のうち、ゴムピン３５，８５の表面３８，８８の総面積が占める割合は、約１０％となるようにゴムピン３５，８５の数やその外径寸法が定められている。なお、必ずしも上記前方部５８における上記割合が約１０％に限定されることはなく、５％〜１５％の範囲内で上記割合を適宜設定することが可能である。
【００６５】
本実施形態では、各ゴムピン３５は、その上面４１（取付板部３３と対向する面）のみが取付板部３３に固定されている。すなわち、上記収容室３７は、フェルト部材３４を厚み方向に貫通する貫通孔として構成されており、各ゴムピン３５は、この収容室３７に嵌め込まれている。しかしながら、ゴムピン３５の表面３８（靴底に露出する面）及びその周面４２（靴底に露出する面と隣り合う面）は、フェルト部材３４に固定されていない。これにより、各ゴムピン３５の表面３８及び周面４２は、フェルト部材３４に対して相対的に変位することができる。また、同様に、各ゴムピン８５は、その上面９１のみが取付板部３３に固定されているため、ゴムピン８５の表面８８及びその周面９２は、フェルト部材３４に固定されていない。これにより、各ゴムピン８５の表面８８及び周面９２は、フェルト部材３４に対して相対的に変位することができる。
【００６６】
この釣用靴１０は、概ね次のようにして製造される。釣用靴１０の製造には、足型が用いられる。まず、この足型に上記内布１４が被せられる。この内布１４を被うように上記本体ゴム１５が被せられる。次に、内布１４の底部にクッション部材２８及びシート部材２７が貼り付けられ、さらに、上記補強シート２５及び各補強ゴム１６〜２０が順に貼り付けられる。そして、靴本体１１の底部を被うようにミッドソール部１２の基部２６が貼り付けられる。上記本体ゴム１５、各補強ゴム１６等及び基部２６は、既知の接着剤や加硫処理等によって固着される。中敷２１は、靴本体１１の上部開口部３６から挿入され、靴本体１１の内底部に配置される。また、上記靴底材１３は、予め別部品として組み立てられる。この靴底材１３がミッドソール部１２の凹部３２に嵌め込まれるだけで、上記面ファスナー機構を介してミッドソール部１２に固定される。なお、本実施形態では、靴底材１３は着脱自在に靴本体１１に取り付けられているが、靴底材１３が靴本体１１に固定されていてもよい。
【００６７】
釣人は、自己の足を上記上部開口部３６（図１参照）から挿入することによって、この釣用靴１０を履くことができる。釣人が本実施形態に係る釣用靴１０を着用して歩行すると、釣人の体重が靴底材１３に作用し、フェルト部材３４が釣場の石や岩に圧接される。このとき、ゴムピン３５の表面３８、及びゴムピン８５の表面８８が靴底に露出しているから、フェルト部材３４、ゴムピン３５及びゴムピン８５が石や岩に圧接される。しかも、このゴムピン３５が上記硬度のブチルゴムからなるので、このゴムピン３５は容易に変形して釣場の岩等に対して確実にグリップする。すなわち、フェルト部材３４、ゴムピン３５及びゴムピン８８が協働して滑止効果を発揮するので、釣場の状況にかかわらず釣用靴１０は、高い滑止効果を発揮する。
【００６８】
また、本実施形態では、外径寸法の異なる２種類のゴムピン３５，８５がフェルト部位剤３４に設けられており、特に、釣人の体重が最も大きく作用する中央部位６４、内側部位６５、外側部位６６及び周縁部位６３に外径寸法の大きいゴムピン３５が配置されている。そのため、中央部位６４、内側部位６５、外側部位６６及び周縁部位６３の各部位の近傍におけるフェルト部材３４の占める割合が他の部位に比べて小さい。したがって、当該各部位の近傍におけるフェルト部材３４の摩耗速度が低下する。その結果、釣人の体重がそれほど作用しない他の部位の摩耗量と、中央部位６４、内側部位６５、外側部位６６及び周縁部位６３の各部位との摩耗量とが略同じになり、フェルト部材３４が均一に摩耗する。また、フェルト部材３４とゴムピン３５，８５との摩耗量が略一致するため、継続して釣用靴１０が使用された場合でも、フェルト部材３４及びゴムピン３５，８５の双方の滑止効果を維持することが可能となる。
【００６９】
また、釣人は、この釣用靴１０を着用して釣り場を歩行すると、靴底材１３に上記切込４４〜４８が設けられていることから、図３が示すように、この靴底材１３は、縦方向（矢印４３の方向）にきわめて撓みやすい。そのため、釣人は、釣用靴１０を装着した状態でも、足を容易に反らすことができ、これにより、釣り場に散在する石や岩の表面の状態を自己の足の裏で認知しやすくなる。したがって、釣人は、自己の足の接地のしかたを工夫することができ、しかも、靴底材１３がフェルトからなることと相まって、この釣用靴１０は、釣り場におけるあらゆる環境下においても優れた滑止効果を発揮することができる。
【００７０】
さらに、各切込４４〜４８の深さ寸法ｄが上記寸法に設定されているので、靴底材１３は、上記矢印４３の方向にきわめて容易に変形することができる。特に、上記深さ寸法ｄが上記肉厚寸法Ｄの９０％〜９５％に設定されることにより、靴底材１３の一定の強度（特に、矢印６７に沿うせん断強度）も保たれたうえで、靴底材１３が容易に変形するという利点がある。
【００７１】
また、上記切込４４〜４８が波形に形成されているから、釣人が歩行したときは、釣用靴１０の底に波形のパターンが形成されると共に、各切込４４〜４８の縁部にエッジ（角部）が形成される。したがって、靴底材１３と石や岩との間の摩擦係数が向上し、歩行時において一層高い滑止効果が発揮される。
【００７２】
また、本実施形態では、靴底材１３が上記取付板部３３を備えており、この取付板部３３が靴本体１１の外底面３１に着脱自在に設けられている。これにより、靴底材１３が靴本体１１に対して着脱自在となるから、仮に靴底材１３が摩耗した場合には、これのみが新品に交換され得るという利点がある。
【００７３】
さらに、靴底材１３は、ゴムピン３５，８５がフェルト部材３４の収容室３７，８７に圧入されることによって構成されるから、ゴムピン３５，８５のみが別部材として構成されることにより、ゴムピン３５，８５が簡単にフェルト部材３４に組み付けられる。その結果、釣用靴１０の構造が簡単となり、製造コストの大幅な上昇が回避される。しかも、ゴムピン３５，８５は、前述されたような円柱状に形成されているから、ゴムピン３５，８５の構造がきわめて簡単であり、釣用靴１０の構造もより簡単なものとなる。
【００７４】
特に本実施形態では、ゴムピン３５の表面３８及び周面４２は、フェルト部材３４に対して相対的に変位することができる。また、ゴムピン８５の表面８８及び周面９２も、フェルト部材３４に対して相対的に変位することができる。ところで、釣人がこの釣用靴１０を着用して釣場を歩行した場合には、フェルト部材３４が変形する。したがって、仮にゴムピン３５の上記表面３８及び周面４２や、ゴムピン８５の上記表面８８及び周面９２がフェルト部材３４に対して相対的に変位することができなければ、釣人の歩行時にゴムピン３５，８５の変形が規制されてしまい、その結果、釣場の岩等に対する十分なグリップ力が得られなくなる。しかし、この釣用靴１０では、十分にゴムピン３５，８５の変形が許容されることになるので、釣人が釣場を歩き回った場合であっても、高い滑止効果が発揮される。しかも、ゴムピン３５，８５の変形を許容する構造は、具体的には、ゴムピン３５，８５が収容室３７，８７に嵌め込まれ、ゴムピン３５，８５の上面４１，９１のみが取付板部３３に固定されることにより実現されているから、ゴムピン３５，８５をフェルト部材３４に組み付ける作業がきわめて簡単であるという利点がある。
【００７５】
〈第２の実施形態〉
次に、本発明の第２の実施形態が説明される。図４は、本発明の第２の実施形態に係るゴムピン５０の斜視図であり、図５は、このゴムピン５０の取付要領を示す断面図である。
【００７６】
当該第２の実施形態に係る釣用靴が上記実施形態に係る釣用靴１０と異なるところは、図４が示すように、ゴムピン５０が円柱部５１及びフランジ５２を備えている点、円柱部５１に細溝５３、５４が設けられている点及びこのゴムピン５０は、図５が示すように、フランジ５２が取付板部３３とフェルト部材３４との間に挟み込まれるようにして取り付けられている点である。その他の構成については、上記釣用靴１０と同様である。なお、ゴムピン５０は、第１の実施形態のゴムピン３５に代えて釣用靴に備えられる。
【００７７】
ゴムピン５０は、上記ゴムピン３５，８５と同様の材料で形成されている。ゴムピン５０の円柱部５１は、上記ゴムピン３５と同様の形状である。そして、この円柱部５１の上面にフランジ５２が一体的に形成されている。上記細溝５３及び細溝５４は、円柱部５１の表面３８に設けられており、互いに直交している。換言すれば、円柱部５１の表面３８に十字状の細溝が形成されている。本実施形態では、２本の細溝５３，５４が設けられ、これらが直交しているが、細溝の数や交差角度等は、特に限定されるものではなく、要するに、円柱部５１の表面３８に細溝が形成されていればよい。これら細溝５３，５４の幅寸法ｄは、０．２ｍｍ〜２．０ｍｍ程度に設定され得る。また、各細溝５３，５４は、円柱部５１の軸方向に寸法ｃだけ延びている。この寸法ｃは、細溝５３、５４の深さ寸法であり、５ｍｍ〜１５ｍｍ程度に設定され得る。
【００７８】
このゴムピン５０は、図５が示すようにフェルト部材３４のゴムピン収容室３７に嵌め込まれている。具体的には、円柱部５１がフェルト部材３４の上面３９側（靴本体１１側）から嵌め込まれる。円柱部５１にフランジ５２が設けられているから、円柱部５１がゴムピン収容室３７に挿入されると、フェルト部材３４の上面３９にフランジ５２が当接する。そして、この状態で取付板部３３がフェルト部材３４の上面３９に張り付け固定される。すなわち、フランジ５２がフェルト部材３４と取付板部３３との間に挟み込まれ、ゴムピン５０が確実にフェルト部材３４に固定される。ここで、円柱部５１の長さ寸法は、フェルト部材３４の厚み寸法よりも長くなるように設定されている。したがって、ゴムピン５０がフェルト部材３４に取り付けられた状態では、円柱部５１の先端部がフェルト部材３４の下面４０から突出する。この突出寸法ａは、１．０ｍｍ〜３．０ｍｍに設定される。
【００７９】
なお、第１の実施形態のゴムピン８５に代えて、円柱部５１がゴムピン８５と同様の形状に形成されたゴムピン５０を釣用靴に備えてもよい。
【００８０】
本実施形態では、上記ゴムピン５０がフランジ５２を備えているので、前述のようにゴムピン５０がフェルト部材３４に確実に固定されると共に、このゴムピン５０をフェルト部材３４に組み付ける作業が一層簡単になるという利点がある。
【００８１】
また、上記ゴムピン５０の表面３８がフェルト部材３４の下面４０から突出しているのフェルト部材３４が釣場の石や岩に圧接されると、ゴムピン５０が変形して当該石等を把持するように確実に係合する。したがって、より高い滑止効果が発揮される。
【００８２】
加えて、ゴムピン５０に上記細溝５３、５４が設けられているので、上記石や岩が濡れている場合であっても、当該石等とゴムピンとの間に存在する水がゴムピン５０の周囲へ排出される。これにより、より一層高い滑止効果が発揮される。本実施形態では、この細溝５３、５４は、ゴムピン５０の表面３８に十字形に形成されているので、より高い排水効果が発揮されるという利点がある。
【００８３】
〈第３の実施形態〉
次に、本発明の第３の実施形態が説明される。図６は、本発明の第３の実施形態に係る釣用靴の要部拡大断面図である。
【００８４】
上述の各実施形態では、フェルト部材３４と、該フェルト部材３４の上面３９に覆われた取付板部３３とにより靴底材１３が構成されているが、本実施形態では、図６が示すように、靴底材１３は、フェルト部材３４の上面３９に底板部材４５が配置され、更に該底板部材４５の上面に取付板部３３が配置された積層構造に形成されている。この場合は、各ゴムピン３５の上面４１、及びゴムピン８５の上面９１のみが底板部材４５に固定されることで、各ゴムピン３５、８５がフェルト部材３４に取り付けられる。
【００８５】
ここに、上記底板部材４５は、板材からなるものである。該底板部材４５を構成する材料としては、例えば、天然ゴム（ＮＲ）、ポリ塩化ビニル（ＰＶＣ）その他の合成ゴムのほか、脂が含浸された紙材や、発泡エチレン酢酸ビニル共重合体、発泡合成ゴム、発泡天然ゴム、発泡ウレタン等の発泡成形部材など、種々のものが採用可能であるが、少なくとも、フェルト部材３４よりも剛性が高く薄肉状のものであることが好ましい。図６が示す積層構造に形成された靴底材１３であれば、フェルト部材３４に可撓性の高い材質を用いた場合でも、靴底材１３全体の剛性を確保することができる。また、本釣用靴１０が使用されてフェルト部材３４が摩耗して薄くなった場合でも、靴底材１３に必要とされる剛性は底板部材４５によって確保され得る。
【００８６】
〈第４の実施形態〉
次に、本発明の第４の実施形態が説明される。図７は、本発明の第４の実施形態に係る靴底材７３の底面図である。なお、図７では、ゴムピン３５，８５及び収容室３７，８７の図示が省略されている。
【００８７】
本第４の実施形態に係る靴底材７３が、上述の各実施形態に係る靴底材１３と異なるところは、靴底材７３に設けられた切込７４〜７８のそれぞれの両端部９５〜１０４が、横方向に沿って真直に形成されている点である。なお、その他の構成については、上記実施形態と同様である。
【００８８】
このように、各切込７４〜７８の端部９５〜１０４は、横方向に沿って真直に延びているので、当該端部９５〜１０４の偏摩耗や破壊が防止される。詳述すれば、上記各切込７４〜７８が上記端部９５〜１０４まで波形に形成されているとすれば、当該各切込７４〜７８の端部９５〜１０４は、靴底材７３の縁部と鋭角的に交差することになる。このため、釣人が歩行したときには、上記各切込７４〜７８の端部９５〜１０４が顕著に偏摩耗し、場合によっては破壊されてしまう。しかし、上述のように、各切込７４〜７８の端部９５〜１０４が真直に形成されることにより、当該端部９５〜１０４の偏摩耗等が防止される。このことは、釣用靴１０ないし靴底材７３の耐用年数が向上するのみならず、釣用靴１０の履き心地がさらに向上するという利点がある。
【００８９】
なお、靴底材７３の各切込７４〜７８は、図８及び図９が示すように、Ｖ字状の溝から構成されていてもよい。ここに、図８は、本第４の実施形態の変形例に係る靴底材７３の底面図であり、図９は、図８におけるIX−IX断面図である。なお、図８及び図９では、ゴムピン３５，８５及び収容室３７，８７の図示が省略されている。
【００９０】
このように、Ｖ字状の溝により各切込７４〜７８が構成されることによって、図８及び図９が示すように、常時において、靴底材７３の下面４０（石や岩との接触面）に開口８０が形成されることになる。この場合、「常時において」とは、釣人が釣用靴１０を履いたまま歩行せずに直立している状態（通常の状態）の意である。常時において上記開口８０が形成されるので、釣人は、釣用靴１０を履いた状態で足を縦方向に沿って内側にも外側にもきわめて容易に湾曲させることができる。すなわち、釣人は、自己の足の裏によって石や岩を把持するように靴底材７３を湾曲させることができる。したがって、釣人は、釣り場の石や岩の表面の状態をより的確に認知することができ、その結果、当該釣用靴１０は、なお一層高い滑止効果を発揮するという利点がある。
【００９１】
〈第５の実施形態〉
次に、本発明の第５の実施形態が説明される。図１０は、本発明の第５の実施形態に係る靴底材８３の底面図である。なお、図１０では、ゴムピン３５，８５及び収容室３７，８７の図示が省略されている。
【００９２】
本第５の実施形態に係る靴底材８３が上述の各実施形態に係る靴底材１３，７３と異なるところは、靴底材８３に設けられた切込７４〜７８の端部９５〜１０４が横方向に延びつつ所定角度で傾斜されている点である。本実施形態では、切込７４〜７８は、上述の第４の実施形態と同様にＶ字状の溝から構成されている。ただし、この切込７４〜７８は、上述の第１実施形態に係る切込４４〜４８と同様の構成であってもよい。なお、その他の構成については、上述の各実施形態と同様である。
【００９３】
本実施形態では、上記切込７４〜７８の端部９５〜１０４は、それぞれ、水平方向に対して異なる角度で傾斜している。このため、各端部９５〜１０４は、靴底材８３の縁部８４と直交している。したがって、釣人がこの釣用靴１０を装着し、歩行した場合であっても、上記切込７４〜７８の端部９５〜１０４の偏摩耗が確実に防止される。また、上記端部９５〜１０４の破壊は、確実に防止される。
【産業上の利用可能性】
【００９４】
本発明は、磯や河原で使用される釣用靴に適用され得る。
【図面の簡単な説明】
【００９５】
【図１】図１は、本発明の第１の実施形態に係る釣用靴の斜視図である。
【図２】図２は、本発明の第１の実施形態に係る釣用靴の要部拡大断面図である。
【図３】図３は、本発明の第１の実施形態に係る釣用靴の靴底材の一部分解斜視図である。
【図４】図４は、本発明の第２の実施形態に係るゴムピンの斜視図である。
【図５】図５は、本発明の第２の実施形態に係るゴムピンの取付要領を示す断面図である。
【図６】図６は、本発明の第３の実施形態に係る釣用靴の要部拡大断面図である。
【図７】図７は、本発明の第４の実施形態に係る靴底材の底面図である。
【図８】図８は、本発明の第４の実施形態の変形例に係る靴底材の底面図である。
【図９】図９は、図８におけるIX−IX断面図である。
【図１０】図１０は、本発明の第５の実施形態に係る靴底材の底面図である。
【符号の説明】
【００９６】
１０・・・釣用靴
１１・・・靴本体
１２・・・ミッドソール部
１３・・・靴底材
３１・・・靴本体の外底面
３２・・・凹部
３３・・・取付板部
３４・・・フェルト部材
３５・・・ゴムピン
３７・・・ゴムピン収容室
３８・・・ゴムピンの表面
３９・・・フェルトの上面
４０・・・フェルトの下面
４１・・・ゴムピンの上面
４２・・・ゴムピンの周面
４４〜４８・・・切込
５６・・・後方部
５７・・・中間部
５８・・・前方部
５９〜６２・・・部位
６３・・・周縁部位
６４・・・中央部位
６５・・・内側部位
６６・・・外側部位
８５・・・ゴムピン
８７・・・ゴムピン収容室
８８・・・ゴムピンの表面
９１・・・ゴムピンの上面
９２・・・ゴムピンの周面
【図１】
2009172277.tif 000003
【図２】
2009172277.tif 000004
【図３】
2009172277.tif 000005
【図４】
2009172277.tif 000006
【図５】
2009172277.tif 000007
【図６】
2009172277.tif 000008
【図７】
2009172277.tif 000009
【図８】
2009172277.tif 000010
【図９】
2009172277.tif 000011
【図１０】
2009172277.tif 000012